(57)【要約】【課題】市販の角形納豆パックに入った納豆を納豆パックに入ったまま簡単迅速にかつ良好に撹拌できるとともに、使用後の後始末が容易な手動による納豆撹拌器具を提供する。【解決手段】市販の角形納豆パック１７を収容する容器本体１と、容器本体１の上壁２に貫設した円形開口部５に係合して載置された回動自在の回転蓋６と、回転蓋６の上面に貫設された円孔７に係合して載置された回動自在の駆動円盤８と、駆動円盤８の上面に突設されたツマミ部ＩＩ９ｂと、ツマミ部ＩＩ９ｂ内部に着脱可能に係止された納豆を撹拌する撹拌板１２からなり、手動でツマミ部ＩＩ９ｂを回転させることで駆動円盤８と回転蓋６を組み合わせた状態で回転させ、撹拌板１２を自転することなく公転できる機構を有し、撹拌後に撹拌板１２をツマミ部ＩＩ９ｂより外し、空になった納豆パック１７に入れて廃棄できる納豆撹拌器具である。【選択図】図１
2014000361.tif 000002
【特許請求の範囲】
【請求項１】
市販の角形納豆パックを収容する容器本体の上壁に貫設した円形開口部に係合して載置された回動自在の回転蓋と、該回転蓋の上面に貫設された円孔に係合して載置された回動自在の駆動円盤と、該駆動円盤の上面に手動で前記駆動円盤を回転させるツマミ部を突設し、下面に納豆を撹拌する撹拌部を垂設した撹拌体を有し、前記駆動円盤と前記回転蓋を組み合わせた状態で回転することで前記撹拌部を自転することなく公転させる機構を有するものであることを特徴とする納豆撹拌器具。
【請求項２】
前記駆動円盤上面に手動で前記駆動円盤を回転させる前記ツマミ部を突設し、該ツマミ部の切欠き部を備えた上面に長孔を貫設し、該長孔内側面に弾性機構を備えた嵌合凸部を有し、納豆を撹拌する前記撹拌部と前記撹拌部を係止する係止部から形成され、該係止部の側面に該嵌合凸部と嵌り合って係止する嵌合凹部を有する撹拌板を前記ツマミ部の上面の前記長孔の上開口部、または前記駆動円盤下面の下開口部のどちらからでも貫入でき、該撹拌板の上端部が前記切欠き部に突出した状態で前記長孔の内部に係止され、前記切欠き部に突出した前撹拌板を指で押圧することで係止が解除され、更に前記撹拌板の上端部が前記嵌合凸部より離脱する機構を有することを特徴とする請求項１に記載の納豆撹拌器具。
【請求項３】
前記撹拌部に中空部を設けていることを特徴とする請求項１，２に記載の納豆撹拌器具。
【請求項４】
前記回転蓋が透明とされていることを特徴とする請求項１〜３に記載の納豆撹拌器具。
【請求項５】
前記回転蓋に調味料注入口を設けていることを特徴とする請求項１〜４に記載の納豆撹拌器具。
【発明の詳細な説明】
【技術分野】
【０００１】  この発明は、市販の角形納豆パックに入った納豆を手動で撹拌する納豆撹拌器具に関す  る。
【背景技術】
【０００２】  個食の拡大により納豆は家族のそれぞれが箸で市販の納豆パックに入った納豆を撹拌する方法が一般的ですが、容器が浅く小さいため撹拌しづらく十分に撹拌しないで賞味する場合が多い。【０００３】  例えば特許文献１は、ハンドルレバー付き回転軸に羽を取り付けて容器にセットした手動方式の、納豆を撹拌する調理器具に関するものである。【０００４】  特許文献２は、電源バッテリーで稼働する電動機を備えた回転駆動する撹拌部を有し、撹拌部を納豆の中に挿入し撹拌の間これを保持しておくだけで納豆を撹拌できる電動納豆撹拌機である。【０００５】  特許文献３は、家庭用電源を使用する電動機で撹拌部を回転させることで、容器本体の所定場所に支持された市販の角形納豆パックに入った納豆を撹拌し、スイッチ機構により撹拌部の回転方向を変更し、タイマーで自動的に停止できる半自動納豆撹拌機である。【０００６】  また、特許文献４は、電動機と歯車の組み合わせにより、納豆を撹拌する撹拌棒を自転することなく公転させることで納豆から生ずる粘性のある糸は何度も切断されて柔らかくなり、撹拌棒の周囲にほぼ均等に付着しながら撹拌されることで納豆の旨味成分が引き出され、撹拌時に撹拌棒が自転しながら公転するときに起こる納豆のせり上がりも起きない納豆撹拌装置である。
【先行技術文献】
【特許文献】
【０００７】
【特許文献１】特開２００９−２６１８５９号
【特許文献２】実登３１０２０１１号
【特許文献３】特開２０１０−１１７４０号
【特許文献４】特開２０１０−１３１２１４号
【発明の概要】
【発明が解決しようとする課題】
【０００８】  しかしながら、以上の技術によれば、特許文献１の手動式の納豆撹拌する調理器具は、粘度のある少量の納豆を同じ軌道上を同じ羽面で撹拌するので、撹拌された納豆は轍状になりやすく、途中で轍状を崩す対応が必要になる。また、市販の納豆パックから調理用器に移し替える手間や使用後の調理容器の洗浄、羽付きハンドルレバーの取り外し、洗浄、乾燥、取り付け直し作業が必要である。【０００９】  特許文献２の電動納豆撹拌機を使用して市販の納豆パックの納豆を撹拌する場合、発泡スチロール製の柔らかい容器を手で持つか、テーブル等に手で固定し、撹拌部を納豆の中に保持する必要がある。さらに、小さく浅い納豆パック容器からの納豆の飛び出しへの注意も必要である。
また、使用後の撹拌部の洗浄、乾燥が必要であり、電池の消耗にも気を使い、電池交換も必要である。【００１０】  特許文献３の半自動納豆撹拌機は、電動機を使って、撹拌棒が自転しながら公転することで、撹拌棒の一面が常に進行方向に向いているために起こる納豆のせり上がりや、撹拌棒が同一軌道上を公転するために起こる納豆の轍状態による撹拌効果の低下を防止するため、スイッチ機構による撹拌方向の反転が必要になっている。また、タイマーを使用しても調味汁の付加時にリセットが必要となっている。しかも、上記の機能を維持するために本体の大きさ、重さ、また、電源の関係で家庭では設置場所が限られる等、家族が手軽に使用するには問題となる。また、使用後の撹拌棒の取り外し、洗浄、乾燥、取り付けも同様に煩わしい。【００１１】  特許文献４の撹拌棒を自転することなく公転させる撹拌方法は、人が箸で納豆をかき混ぜる動作と同様に納豆の撹拌には効果的でありますが、電動機や歯車の組み合わせによる複雑な機構は、納豆を大量に処理する業務用には問題ないが、一般家庭での納豆パックに入った少量の納豆を撹拌するには無駄が多く現実的ではない。
以上のようにこれらの発明、考案は一般家庭での使用には問題がある。【００１２】  ここに、この発明の納豆撹拌器具は以下に記載されるような目的がある。
（１）市販の角形納豆パックの納豆を他の容器へ移し替えることなく撹拌できることである。【００１３】（２）納豆を撹拌中に納豆パックからの納豆の飛び出し、納豆パックの破損に対する心配のないことである。【００１４】（３）撹拌中の納豆の撹拌効果を低下させる納豆の轍状の現象、せり上がり現象が起きないことである。【００１５】（４）納豆は一般家庭でほぼ毎日食べられることが多く、器具は家族のそれぞれが使用するため、食卓を挟んで家族が簡単に手渡しできるぐらいに小型で軽量であることである。【００１６】（５）簡単な操作で使い勝手がよいメンテナンスの心配のない器具であることである。【００１７】（６）使用後の後始末作業が簡単で負担が少ないことである。
【課題を解決するための手段】
【００１８】  以上の課題を解決するために、第１発明は、市販の角形納豆パックを収容する容器本体の上壁に貫設した円形開口部に係合して載置された回動自在の回転蓋と、該回転蓋の上面に貫設された円孔に係合して載置された回動自在の駆動円盤と、該駆動円盤の上面に手動で前記駆動円盤を回転させるツマミ部を突設し、下面に納豆を撹拌する撹拌部を垂設した撹拌体を、前記駆動円盤と前記回転蓋を組み合わせた状態で回転することで前記撹拌部を自転することなく公転させる機構を有することを特徴とするものである。【００１９】  同様の目的を達成するために第２発明は、前記駆動円盤上面に手動で前記駆動円盤を回転させる前記ツマミ部を突設し、前記ツマミ部の切欠き部を備えた上面に長孔を貫設し、該長孔内側面に弾性機構を備えた嵌合凸部を有し、納豆を撹拌する前記撹拌部と前記撹拌部を係止する係止部から形成され、該係止部の側面に該嵌合凸部と嵌り合って係止する嵌合凹部を有する撹拌板を前記ツマミ部の上面の前記長孔の上開口部、または前記駆動円盤下面の前記長孔の下開口部のどちらからでも貫入でき、該撹拌板の上端部が該切欠き部に突出した状態で前記長孔の内部に係止され、前記切欠き部より突出した前記撹拌板を指で押圧することで係止が解除され、更に前記撹拌板の上端部が前記嵌合凸部より離脱する機構を有することを特徴とするものである。【００２０】  同様の目的を達成するために第３発明は、前記撹拌部に中空部を設けていることを特徴とするものである。【００２１】  同様の目的を達成するために第４発明は、前記回転蓋が透明とされていることが好ましい。この発明により納豆の撹拌状態が観察しやすくなる。【００２２】  同様の目的を達成するために第５発明は、前記回転蓋に調味料注入口を設けていることが好ましい。この発明により納豆撹拌作業途中に調味料を入れやすい。
【発明の効果】
【００２３】  この発明は，以上の説明から電動機を使用しない手動の納豆撹拌器具であり、以下に記載されるような発明の効果がある。【００２４】（１）市販の角形納豆パックを容器本体に収容し撹拌することで、納豆を他の容器に移し替える必要がない。【００２５】（２）市販の角形納豆パックを容器本体に収容し撹拌することで、撹拌中に納豆パックを直接手保持することもないので納豆の飛び出し、納豆パックの破損に注意しなくても安全に撹拌できる。【００２６】（３）撹拌部が自転することなく公転することで、撹拌部が自転しながら公転する場合の、撹拌部の一面が常に進行方向に向くことで起こる納豆のせり上がりもなく撹拌できる。
また、撹拌部が同一軌道を公転することで起こる納豆の轍状の現象は、納豆を撹拌する撹拌部を公転させるためのツマミ部の本体正面に対する摘む角度を変えることで、それによって撹拌部の公転軌道を簡単に変更することができ、轍現象は解消できる。｛後述の（撹拌棒の作用）参照｝【００２７】（４）電動機や電源バッテリーを使用せず、部品点数も少ないため、小型軽量である。【００２８】（５）回転蓋を透明にしたために常に納豆の撹拌状態を観察でき、好みの撹拌状態にするために撹拌部の回転速度や回転方向を調節でき、また、調味料注入口は納豆パックを容器本体に収容したままで調味料を注入できるので使い勝手がよく、手動でツマミ部を回すだけの簡単な操作で使用できメンテナンスの心配もない。【００２９】（６）納豆を撹拌する着脱可能な撹拌板は撹拌部と係止部より形成された簡易な構造のため、安く量産することができ、使い捨てとすることが可能であり、使用後は空の納豆パックに入れて同時に廃棄処理をすることで後始末作業が簡単である。
【図面の簡単な説明】
【００３０】
【図１】この発明の第１実施形態例の分解斜視図である。（撹拌体斜視図を含む）
【図２】この発明の第１実施形態例の組み立て斜視図である。
【図３】この発明の第１実施形態例の組み立て縦断正面図である。
【図４】この発明の第１実施形態例のツマミ部の分解斜視図、及び縦断正面図である。
【図５】撹拌部の撹拌棒の説明記号の説明図、及びツマミ部の容器本体正面に対する角度の説明図である。
【図６】ツマミ部の容器本体正面に対する角度の変更による撹拌棒の軌道及び交差位置の変化の説明図及び撹拌棒の斜視図である。
【図７】この発明の第２実施形態例の組み立て斜視図である。
【図８】この発明の第１実施形態例の回動自在機構の構造の説明図である。
【図９】この発明の第３実施形態例の回動自在機構の構造の説明図である。
【図１０】この発明の第４実施形態例のツマミ部の説明の斜視図である。
【発明を実施するための形態】
【００３１】      （実施形態例１）
この発明の第一実施形態例を図１〜図４に示す。市販の角形納豆パックを収容する容器本体１は、上壁２、背壁３、左右側壁４から形成され、納豆パック１７の上から容器本体１の底面開口部を納豆パック１７に被せ嵌入し、容器本体１の左右内側面に横設した押止壁３０に押止する。
【００３２】  つぎに納豆パック１７の中央部の上方の容器本体１の上壁２に中心を定めた円形開口部５を貫設し、その内周壁の下端に全周に渡って回転蓋載置部１８を形成し、該内周壁に当接して回動自在に摺動する回転蓋６を載置する。回転蓋６の上面に調味料を注入できる調味料注入口１６を設け、撹拌状態が観察できるよう透明とする。
【００３３】  回転蓋６の上面に納豆を撹拌する撹拌部１４が遊挿できる円孔７を貫設し、円孔７の外周縁に全周に渡って駆動円盤載置部１９を形成し、駆動円盤載置部１９の外周縁に全周に渡って立設した円筒壁２０の内周壁に当接し回動自在に摺動する駆動円盤８を載置する。
【００３４】  駆動円盤８の上面にツマミ部Ｉ９ａを突設し、ツマミ部Ｉ９ａの一端部を切離し内部に嵌合凸部弾性体収納部２８を備えた収納部カバー２９を形成する。三角形の切欠き部Ｉ１０ａを削成したツマミ部Ｉ９ａの上面に撹拌板１２を挿脱可能にできる長孔１１を貫設する。ツマミ部Ｉ９ａの一端の切離壁部２５の壁面に嵌合凸部２４ａと板バネ機能を持った板バネ部２４ｂを有する嵌合凸部弾性体２４を当着させ、切離壁部２５に嵌合凸部２４ａが長孔１１内部に突出するため開口部である嵌合凸部突出口２７を設け、嵌合凸部２４ａを嵌合凸部突出口２７に遊嵌し、板バネ部２４ｂ下端部を駆動円盤８の上面に設けられたバネ支持穴部２６に挿着し、収納カバー２９を駆動円盤８の上面と切離壁部２５の壁面に接着することでツマミ部Ｉ９ａと一体化させたツマミ部ＩＩ９ｂを形成する。（図４−１、図４−２参照）
【００３５】  撹拌板１２は中空部１５を設けた撹拌部１４と左右側面に嵌合凹部２３を設けた係止部１３より形成される。撹拌板１２の上端部が切欠き部Ｉ１０ａに突出した状態で長孔１１の内側面に突出した嵌合凸部２４ａに、係止部１３の嵌合凹部２３が嵌め合い係止される。切欠き部Ｉ１０ａより突出した撹拌板１２の上端部を指で押圧することで嵌合凸部２４ａと嵌合凹部２３の係止が解除される位置に嵌合凸部２４ａ及び嵌合凹部２３が設けられ、更に押圧を加えることで撹拌板１２の上端部が嵌合凸部２４ａより離脱できる深さの切欠き部Ｉ１０ａを形成する。
【００３６】  撹拌板１２の撹拌部１４は中空部１５を挟んで設けられた撹拌棒１４ａ、１４ｂと撹拌板１２の底部の撹拌底部１４ｃによって形成されている。撹拌底部１４ｃは撹拌後に納豆を他の容器等へ移し替える際のスプーンの役目をするが、撹拌底部１４ｃを省いた二股フォーク状としてもよい。
【００３７】  つぎに、第一実施形態の納豆撹拌器具の使用方法について説明する。
納豆パック１７を容器本体１に収容し、ツマミ部ＩＩ９ｂを指でつまみ回転蓋６の中心を中心として駆動円盤８を自転することなく公転させる。駆動円盤８が公転すると同時に回転蓋６は同心を中心として自転して駆動円盤８の公転のガイドの役割をする。同時に撹拌板１２が自転することなく公転し、納豆パック１７の納豆を撹拌する。
撹拌状況を透明な回転蓋６を通して観察し、調味料の入れ時機に調味料注入口１６より調味料を注入する。
【００３８】  撹拌終了後、ツマミ部ＩＩ９ｂの切欠き部Ｉ１０ａに突出している撹拌板１２の上端部を指で押すことで撹拌板１２の係止を解除し、更に押すことで撹拌板１２を嵌合凸部２４ａより離脱させる。撹拌後に容器本体１を持ち上げて納豆パック１７の納豆の中に撹拌板１２を植立させた状態で容器本体１より取り出す。撹拌板１２を使用して納豆パックの納豆をご飯の上に載せたり他の容器に移したりした後、空の納豆パック１７に入れて一緒に廃棄する。
【００３９】  第１発明の駆動円盤８の上面にツマミ部Ｉ９ａを突設し、駆動円盤８の下面に撹拌部１４を垂設した撹拌体４５は、使い捨て撹拌板１２に対して資源保護の観点から抵抗感のある人用、または、使い捨て撹拌板１２の在庫が切れた場合の予備用とする。
【００４０】      （撹拌棒の作用について）
実施形態例１による撹拌棒１４ａ、１４ｂの作用についての説明である。撹拌部１４の中空部１５の形状及び機能について説明する。中空部１５の両サイドは撹拌棒１４ａ、１４ｂで形成され、人が箸を平行に持って納豆を撹拌する場合の箸の状態であり、箸で撹拌する場合と同様に撹拌部１４は自転することなく公転させる。この動作で撹拌部１４が公転一回転につき二個所で撹拌棒１４ａ、１４ｂの軌道が交差することで撹拌効果を上げている。（図６−１参照）
【００４１】  しかし、撹拌部１４が常に同じ軌道上を動くため、撹拌するに従い納豆が轍状になり撹拌効果を落とす。人が箸で撹拌する場合では、この問題を箸使いによって箸の撹拌軌道を変更することで解決している。
【００４２】  上記の問題に対してこの発明の撹拌棒の作用を図５、図６で説明する。
図５−１は、撹拌板１２がツマミ部ＩＩ９ｂの長孔１１の内部に係止された状態の斜視図である。中空部１５と撹拌棒１４ａ、１４ｂの位置を説明のため中空部１５及び撹拌棒１４ａ、１４ｂの位置の断面を図案化したのがＡであり白、黒の楕円状の部分が撹拌棒１４ａ、１４ｂの断面を表し、それらに挟まれた中央部分が中空部１５を表している。
【００４３】  図５−２は、この発明の上面図である。平面上でツマミ部ＩＩ９ｂの長手方向の直線Ｃと、平面上で駆動円盤８の中心を通り容器本体１の前面と平行の直線Ｂが交わってできる角度、Ｄの説明図である。
【００４４】  図６−１〜図６−３は、Ｄの変更による撹拌棒１４ａ、１４ｂの軌道、交差位置の変化の説明図と、図６−（ａ）〜図６−（ｂ）は、Ｄの変更による撹拌板１２がツマミ部ＩＩ９ｂの長孔１１の内部に係止された状態の斜視図である。
【００４５】  図６−１は、Ｄが０度の場合の軌道、交差位置の図である。
図６−２は、Ｄが４５度の場合の軌道、交差位置の図である。
図６−３は、Ｄが９０度の場合の軌道、交差位置の図である。
図６−（ａ）は、Ｄが０度の場合の斜視図である。
図６−（ｂ）は、Ｄが４５度の場合の斜視図である。
図６−（ｃ）は、Ｄが９０度の場合の斜視図である。
【００４６】  Ｄは、ツマミ部ＩＩ９ｂを指で摘む場合に生じる角度であるが、摘む角度を変更することでＤの値を変え、撹拌棒１４ａ、１４ｂの軌道、交差位置が変えられ、同一軌道を撹拌するために起こる納豆の轍現象による撹拌効果の低下を防ぐことができる。
【００４７】      （実施形態例２）
図７は第２実施形態例の組み立て斜視図で、容器本体ＩＩ３１の上面の上面蓋３２がヒンジ部３７で連結されて開閉自在な機構になっている。図７は上面蓋３２を開いた状態である。
【００４８】  図１の第１実施形態例では、容器本体１は、上壁２、左右の側壁４、背壁３より形成され、容器本体１は納豆パック１７に被せて使用するため底壁が無かった。第２実施形態では、容器本体ＩＩ３１は左右の側壁ＩＩ３８、背壁ＩＩ３９、底壁ＩＩ４０と、容器本体ＩＩ３１の上面開口を開閉自在に蓋し、左右の側壁ＩＩ３８の頂上部に載置された上面蓋３２より形成されている。上面蓋３２は下面より左右の側壁ＩＩ３８に内嵌し、上面蓋３２を閉じた時、納豆パック顎部４１を押止できる押止壁ＩＩ３６を垂設すると共に、下端中央に切欠き状の取っ手部３４を設けた前壁ＩＩ３３を上壁ＩＩ３５の前面先端に垂設し、開閉自在にするために上壁ＩＩ３５の後端部と背壁ＩＩ３９の上端部を連結するヒンジ部３７を設けた納豆撹拌器具である。
【００４９】  上壁ＩＩ３５は第１実施形態例の上壁２と同様に上面に円形開口部５を具え、回転蓋６を円形開口部５の回転蓋載置部１８に載置した構造で、納豆を撹拌する撹拌作用及び機構は基本的に第１実施形態例と同様であるので説明を省略する。
【００５０】  上面蓋３２を開いて簡単に調味料を注入できるので調味料注入口１６は設けても設けなくても良い（図７では設けていない）。また、納豆パック１７が容器本体ＩＩ３１の底壁ＩＩ４０の上面に載置されるので、納豆パック１７を収容したまま納豆撹拌器具を自由に移動できる。
（実施形態例３）
【００５１】  納豆を撹拌する撹拌作用及び構造、機構は基本的に第１実施形態と同じであるので説明を省略する。
【００５２】  この発明の第１実施形態例には円形の開口部と円形の回転体が係合し合って回転する機構の個所が２個所ある。すなわち、第一個所は容器本体１の上壁２に貫設した円形開口部５に係合して載置される回動自在の回転蓋６。第二個所は回転蓋６の上面に貫設された円孔７に係合して載置された回動自在な駆動円盤８である。
【００５３】  上記２個所について図８により説明する。納豆を撹拌する撹拌作用及び機構は基本的に第１実施形態例と同じであるので上記の２個所の機構の構造以外は説明を省略する。
図８−１は、図３の第１実施形態例の縦断正面図より説明に関係のない回転蓋６の調味料注入口１６、駆動円盤８の上面に突設されたツマミ部ＩＩ９ｂ、長孔１１、撹拌板１２、納豆パック１７を省略している。
【００５４】  図８−２は図８−１のＹの範囲を抜き出した図であり、駆動円盤８、円筒壁２０を省略しており、上記の第一個所の説明に必要な部分だけを表した図である。
【００５５】  図８−３は図８−１のＸの範囲を抜き出した図であり、上記の第二個所の説明に必要な部分だけを表した図である。図８−４は図８−３を図８−２との比較のため横方向に伸ばした図であり、機構的には図８−３と同じである。
【００５６】  第１実施形態例においての円形の開口部分は、第一個所では円形開口部５、第二個所では円孔１１である。円形の回転体部分は、第一個所では回転蓋６、第二個所では駆動円盤８であり、係合し合って回転する機構は同じであるが、構造は異なっている。
【００５７】  以上の説明から、図９は前記２個所の構造を実施できる形態としての構造を簡略に説明する断面図を、図９−１から図９−５までに記載する。
図９の円形の開口部である円形開口４３は第１実施形態例の容器本体１の上壁２に貫設した円形開口部５、または回転蓋６の上面に貫設された円孔７に対応しており、また、図９の円形回転体である円板４２は第１実施形態例の回転蓋６、または駆動円盤８に対応している。
【００５８】  図９−１は、円形開口４３の内周壁に当接して回動自在に摺動する円板４２の上面外周縁から突出するフランジ部を、円形開口４３の外周縁に載置する回転機構である。
図９−２は、円形開口４３の内周壁から立設された円筒壁と、該円筒壁の上面開口部を蓋し、前記円筒壁の外周壁に当接し回動自在に摺動する円筒状の壁が設けられた円板４２を前記円筒壁外周縁に載置する回転機構である。
図９−３は、円形開口４３の内周壁から立設された円筒壁と、該円筒壁の上面開口部を蓋し、前記円筒壁に外周壁に当接し回動自在に摺動する円筒状の壁が設けられた円板４２を前記円筒壁上面に載置する回転機構である。
図９−４は、円形開口４３の内周壁の下部に全周に渡って載置部を設け、内周壁に当接して回動自在に摺動する円板４２を載置する回転機構である。
図９−５は、円形開口４３の外周縁に全周に渡って載置部を設け、該載置部外周縁に円筒壁を立設し、該円筒壁の内周壁に当接し回動自在に摺動する円板４２を載置する回転機構である。
【００５９】  図９−１〜図９−５の構造は、この発明の前記の第一個所、第二個所の２個所の回転する機構に実施でき、どの構造を実施しても良い。
【００６０】  因みに、第１実施形態例の第一個所では図８−４の構造が実施され、第二個所では図９−５の構造が実施されている。
（実施形態例４）
【００６１】  納豆を撹拌する撹拌作用及び構造、機構、また、撹拌板１２を係止するための長孔１１の内側壁より突出する嵌合凸部２４ａの弾性機構、構造は、基本的に第１実施形態例と同じであるので説明を省略する。第４実施形態例は駆動円盤８の上面に駆動円盤８を回転させるために突設されているツマミ部及び該ツマミ部に設けられた撹拌板１２の係止を解除させるための切欠き部に関する実施形態例である。
【００６２】  図１０−１は、駆動円盤８の上面に突設されたツマミ部Ｉ９ａの上面中央部から垂直の切り込み面と、ツマミ部Ｉ９ａの上面から貫設された長孔１１の内側面の上端からツマミ部Ｉ９ａ中央部にかけての傾斜の切り込み面で形成された切欠き部ＩＩ１０ｂを設けたことを特徴とするツマミ部ＩＩＩ９ｃである。
【００６３】  切欠き部ＩＩ１０ｂより突出した撹拌板１２の上端を押圧することで撹拌板１２の係止部１３の嵌合凹部２３を長孔１１の内側面より突出した嵌合凸部２４ａとの係止を解除し、撹拌板１２の上端部を嵌合凸部２４ａから離脱させる際に、撹拌板１２の上端中央部を垂直に押圧することができるので、バランス良く指先で押すことができる。
【００６４】  図１０−２は、駆動円盤８の上面の外周縁より全周に渡って突設されたツマミ部ＩＶ９ｄと、駆動円盤８下面から垂設された撹拌部１４によって形成された撹拌体である。円筒状の円筒ツマミ部側面４４には、その延伸方向に沿うような複数の凸状畝部あるいは凹状溝部が形成されることが好ましい。
【００６５】  ツマミ部ＩＶ９ｄが円筒状であるために、使う人の摘み易い摘み方で摘める。また、円筒ツマミ部側面４４に複数の凸状畝部あるいは凹状溝部が形成されているため、ツマミ部ＩＶ９ｄを確実に摘むことができる。
【００６６】  図１０−３は、駆動円盤８の上面の外周縁より全周に渡って突設されたツマミ部ＩＶ９ｄの上面中央から円筒ツマミ部側面４４の内側にかけての垂直の切り込み面と、ツマミ部ＩＶ９ｄの上面に貫設された長孔１１の内側面の上端から円筒ツマミ部側面４４の内側に沿って傾斜の切り込み面で形成された切欠き部ＩＩＩ１０ｃを設けたことを特徴とするツマミ部Ｖ９ｅである。
ツマミ部Ｖ９ｅの円筒状の側面の円筒ツマミ部側面４４には、その延伸方向に沿うような複数の凸状畝部あるいは凹状溝部が形成されることが好ましい。
【００６７】  切欠き部ＩＩＩ１０ｃより突出した撹拌板１２の上端を押圧することで撹拌板１２の嵌合凹部２３を長孔１１の内側面より突出した嵌合凸部２４ａとの係止を解除し、撹拌板１２の上端部を嵌合凸部２４ａから離脱させる際に撹拌板１２の上端中央部を垂直に押圧できるので、バランス良く指先で押すことができる。ツマミ部Ｖ９ｅが円筒状であるために、使う人の摘み易い摘み方で摘めるため使い易い。また、円筒ツマミ部側面４４に複数の凸状畝部あるいは凹状溝部が形成されているため、ツマミ部Ｖ９ｅを確実に摘むことができる。
【符号の説明】
【００６８】１…容器本体、２…上壁、３…背壁、４…側壁、５…円形開口部、６…回転蓋、７…円孔、８…駆動円盤、９ａ…ツマミ部Ｉ、９ｂ…ツマミ部ＩＩ、９ｃ…ツマミ部ＩＩＩ、９ｅ…ツマミ部ＩＶ、９ｅ…ツマミ部Ｖ、１０ａ…切欠き部Ｉ、１０ｂ…切欠き部ＩＩ、１０ｃ…切欠き部ＩＩＩ、１１…長孔、１２…撹拌板、１３…係止部、１４…撹拌部、１４ａ…撹拌棒、１４ｂ…撹拌棒、１４ｃ…撹拌底部、１５…中空部、１６…調味料注入口、１７…納豆パック、１８…回転蓋載置部、１９…駆動円盤載置部、２０…円筒壁、２１…上開口部、２２…下開口部、２３…嵌合凹部、２４…嵌合凸部弾性体、２４ａ…嵌合凸部、２４ｂ…板バネ部、２５…切離壁部、２６…板バネ支持穴部、２７…嵌合凸部突出口、２８…嵌合凸部弾性体収納部、２９…収納部カバー、３０…押止壁、３１…容器本体ＩＩ、３２…上面蓋、３３…前壁ＩＩ、３４…取っ手部、３５…上壁ＩＩ、３６…押止壁ＩＩ、３７…ヒンジ部、３８…側壁ＩＩ、３９…背壁ＩＩ、４０…底壁ＩＩ、４１…納豆パック顎部、４２…円板、４３…円形開口、４４…円筒ツマミ部側面、４５…撹拌体
Ａ…撹拌棒の位置表示記号、
Ｂ…第１実施形態例の上面図上で容器本体正面と平行でツマミ部の中心を通る直線、
Ｃ…第１実施形態例の上面図上でツマミ部の長手方向の直線、
Ｄ…Ｂ，Ｃが交差することでできる角度、
Ｅ…撹拌棒１４ａの軌道、
Ｆ……撹拌棒１４ｂの軌道、
Ｇ…撹拌棒１４ａ、１４ｂの軌道の交差位置、
Ｘ…横方向の表示範囲、
Ｙ…縦方向の表示範囲、
【図１】
2014000361.tif 000003
【図２】
2014000361.tif 000004
【図３】
2014000361.tif 000005
【図４】
2014000361.tif 000006
【図５】
2014000361.tif 000007
【図６】
2014000361.tif 000008
【図７】
2014000361.tif 000009
【図８】
2014000361.tif 000010
【図９】
2014000361.tif 000011
【図１０】
2014000361.tif 000012